Podtech/llm-jp-corpus-v4-ja_patent huggingface dataset:
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数のサービスされるユーザ機器(UE)の各々のサブフレームにおける復調基準信号(DMRS)のための送信構成を決定するステップであって、前記送信構成は、少なくともサイクリックシフト、直交カバーコード(OCC)、およびコム値の組合せを含む、ステップと、
前記複数のサービスされるUEの各々に前記送信構成を動的にシグナリングするステップであって、前記送信構成のうちの少なくとも1つは、前記サブフレームの第1のスロットのための第1のコム値および前記第1のコム値とは異なる前記サブフレームの第2のスロットのための第2のコム値を割り当てる、ステップと
を含む方法。
【請求項２】
前記動的にシグナリングするステップは、
前記複数のUEの各々にアップリンク許可において前記送信構成を動的に送信するステップ
を含む、請求項1に記載の方法。
【請求項３】
前記送信構成は、前記サイクリックシフト、前記OCC、および前記コム値のジョイントコーディングを介してシグナリングされる、請求項2に記載の方法。
【請求項４】
前記第1のスロットのための前記第1のコム値および前記第2のスロットのための前記第2のコム値を割り当てる前記送信構成のうちの前記少なくとも1つは、レイヤ1〜4のための異なるOCCの割当てを含む、請求項3に記載の方法。
【請求項５】
前記第1および第2のスロットに同じコム値を割り当てる別の送信構成は、レイヤ1〜4のための同じOCCの割当てを含む、請求項4に記載の方法。
【請求項６】
ワイヤレス通信の方法であって、
サブフレームにおける復調基準信号(DMRS)の送信のためにサービング基地局から送信構成を受信するステップであって、前記送信構成は、少なくともサイクリックシフト、直交カバーコード(OCC)、およびコム値の組合せを含む、ステップと、
前記DMRSの再送信を準備するステップであって、前記再送信は、現在送信カウンタによってカウントされる、ステップと、
前記再送信のための送信コム値を選択するステップであって、前記送信コム値は、前記現在送信カウンタにおける現在数に基づいて選択され、前記送信コム値は、前記DMRSの送信において使用された元のコム値とは異なる、ステップと、
前記送信コム値を使用して前記再送信を送信するステップと
を含む方法。
【請求項７】
前記送信コム値を前記選択することは、前記現在送信カウンタが奇数であるときに第1の送信コム値を選択し、前記現在送信カウンタが偶数であるときに前記第1の送信コム値とは異なる第2の送信コム値を選択するように構成される、請求項6に記載の方法。
【請求項８】
ワイヤレス通信のために構成された装置であって、
複数のサービスされるユーザ機器(UE)の各々のサブフレームにおける復調基準信号(DMRS)のための送信構成を決定するための手段であって、前記送信構成は、少なくともサイクリックシフト、直交カバーコード(OCC)、およびコム値の組合せを含む、手段と、
前記複数のサービスされるUEの各々に前記送信構成を動的にシグナリングするための手段であって、前記送信構成のうちの少なくとも1つは、前記サブフレームの第1のスロットのための第1のコム値および前記第1のコム値とは異なる前記サブフレームの第2のスロットのための第2のコム値を割り当てる、手段と
を含む装置。
【請求項９】
動的にシグナリングするための前記手段は、
前記複数のUEの各々にアップリンク許可において前記送信構成を動的に送信するための手段
を含む、請求項8に記載の装置。
【請求項１０】
前記送信構成は、前記サイクリックシフト、前記OCC、および前記コム値のジョイントコーディングを介してシグナリングされる、請求項9に記載の装置。
【請求項１１】
前記第1のスロットのための前記第1のコム値および前記第2のスロットのための前記第2のコム値を割り当てる前記送信構成のうちの前記少なくとも1つは、レイヤ1〜4のための異なるOCCの割当てを含む、請求項10に記載の装置。
【請求項１２】
前記第1および第2のスロットに同じコム値を割り当てる別の送信構成は、レイヤ1〜4のための同じOCCの割当てを含む、請求項11に記載の装置。
【請求項１３】
ワイヤレス通信のために構成された装置であって、
サブフレームにおける復調基準信号(DMRS)の送信のためにサービング基地局から送信構成を受信するための手段であって、前記送信構成は、少なくともサイクリックシフト、直交カバーコード(OCC)、およびコム値の組合せを含む、手段と、
前記DMRSの再送信を準備するための手段であって、前記再送信は、現在送信カウンタによってカウントされる、手段と、
前記再送信のための送信コム値を選択するための手段であって、前記送信コム値は、前記現在送信カウンタにおける現在数に基づいて選択され、前記送信コム値は、前記DMRSの送信において使用された元のコム値とは異なる、手段と、
前記送信コム値を使用して前記再送信を送信するための手段と
を含む装置。
【請求項１４】
少なくとも1つのコンピュータに請求項1乃至7のいずれか1項に記載の方法を実行させるための命令を含むコンピュータプログラム。
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
ヘッドセットであって、
１つまたは複数のセンシング要素を含む複数のイヤフォンを備え、前記複数のイヤフォンは、フィードフォワードマイクロフォンおよびフィードバックマイクロフォンを有する第１のイヤフォンと、フィードフォワードマイクロフォンおよびフィードバックマイクロフォンを有する第２のイヤフォンとを含み、前記ヘッドセットは、さらに、
音声伝送のために音声信号を記録するための１つまたは複数の音声マイクロフォンと、
前記イヤフォンと前記音声マイクロフォンとに結合された信号プロセッサとを備え、前記信号プロセッサは、
前記センシング要素を用いて前記ヘッドセットの装着位置を決定し、前記ヘッドセットの前記装着位置は、単一イヤフォン係合とデュアルイヤフォン係合とを含み、
前記決定された装着位置に基づいて複数の信号モデルから信号モデルを選択し、前記複数の信号モデルは、単一イヤフォン係合モデルと、デュアルイヤフォン係合モデルとを含み、
選択された信号モデルが前記デュアルイヤフォン係合モデルであるときには、前記第１のイヤフォンの前記フィードフォワードマイクロフォンと、前記第２のイヤフォンの前記フィードフォワードマイクロフォンとを、ノイズ信号を前記音声信号から分離するためのブロードサイドビームフォーマとして用い、
選択された信号モデルが前記単一イヤフォン係合モデルであるときには、前記ブロードサイドビームフォーマを用いずに、前記１つまたは複数の音声マイクロフォンを第１の指向性エンドファイアビームフォーマとして用い、前記第１のイヤフォンの前記フィードフォワードマイクロフォンおよび前記フィードバックマイクロフォンを、前記第２のイヤフォンの前記フィードフォワードマイクロフォンおよび前記フィードバックマイクロフォンを考慮することなく、前記ノイズ信号を前記音声信号から分離するために用いるように構成される、ヘッドセット。
【請求項２】
前記センシング要素は、前記第１のイヤフォンおよび前記第２のイヤフォンの各々の前記フィードフォワードマイクロフォンおよび前記フィードバックマイクロフォンを含み、前記ヘッドセットの前記装着位置は、フィードフォワードマイクロフォン信号とフィードバックマイクロフォン信号との間の差分に基づき決定される、請求項１に記載のヘッドセット。
【請求項３】
前記センシング要素は、光学センサ、容量センサ、赤外線センサ、またはそれらの組み合わせを含む、請求項１に記載のヘッドセット。
【請求項４】
前記複数の信号モデルは、さらに、非イヤフォン係合モデルを含む、請求項１に記載のヘッドセット。
【請求項５】
前記音声マイクロフォンは、前記第１のイヤフォンおよび前記第２のイヤフォンに結合されたラペルユニット内に配置され、前記デュアルイヤフォン係合モデルは、前記音声マイクロフォンを、前記第１のイヤフォンおよび前記第２のイヤフォンが係合するときに前記ノイズ信号を前記音声信号から分離するための垂直エンドファイアビームフォーマとして用いることによって適用される、請求項１に記載のヘッドセット。
【請求項６】
前記デュアルイヤフォン係合モデルは、第１のイヤフォンおよび第２のイヤフォンが係合するときに前記ノイズ信号を前記音声信号から分離するために、前記第１のイヤフォンのフィードフォワードマイクロフォン信号および前記第２のイヤフォンのフィードフォワードマイクロフォン信号を相関させることによって適用される、請求項１に記載のヘッドセット。
【請求項７】
前記非イヤフォン係合モデルは、前記第１のイヤフォンおよび前記第２のイヤフォンが両方外れているときに追加されたノイズを軽減するために、ビームフォーマの使用を中止することによって適用される、請求項４に記載のヘッドセット。
【請求項８】
前記音声マイクロフォンは、前記第１のイヤフォンおよび前記第２のイヤフォンに結合されたラペルユニット内に配置される、請求項１に記載のヘッドセット。
【請求項９】
方法であって、
ヘッドセットのセンシング要素を、前記ヘッドセットの装着位置を決定するために用いることを備え、前記ヘッドセットの前記装着位置は、単一イヤフォン係合とデュアルイヤフォン係合とを含み、さらに、
ノイズキャンセルのための信号モデルを選択することを備え、前記信号モデルは前記決定された装着位置に基づいて複数の信号モデルから選択され、前記複数の信号モデルは、単一イヤフォン係合モデルと、デュアルイヤフォン係合モデルとを含み、前記方法はさらに、
選択された信号モデルが前記デュアルイヤフォン係合モデルであるときには、第１のイヤフォンのフィードフォワードマイクロフォンと、第２のイヤフォンのフィードフォワードマイクロフォンとを、音声信号を検出して、ノイズ信号を前記音声信号から分離するためのブロードサイドビームフォーマとして用いて、１つまたは複数の音声マイクロフォンに前記音声信号を記録することと、
選択された信号モデルが前記単一イヤフォン係合モデルであるときには、前記ブロードサイドビームフォーマを用いずに、１つまたは複数の音声マイクロフォンを第１の指向性エンドファイアビームフォーマとして用い、前記第１のイヤフォンの前記フィードフォワードマイクロフォンおよび前記第１のイヤフォンの前記フィードバックマイクロフォンを、前記第２のイヤフォンの前記フィードフォワードマイクロフォンおよび前記第２のイヤフォンのフィードバックマイクロフォンを考慮することなく、音声信号を検出して、ノイズ信号を前記音声信号から分離するために用いることとを備える、方法。
【請求項１０】
前記複数の信号モデルは、さらに、非イヤフォン係合モデルを含む、請求項９に記載の方法。
【請求項１１】
前記複数の音声マイクロフォンは、前記第１のイヤフォンおよび前記第２のイヤフォンに結合されたラペルユニット内に配置される、請求項１０に記載の方法。
【請求項１２】
前記非イヤフォン係合モデルを適用することは、前記第１のイヤフォンおよび前記第２のイヤフォンが両方外れているときに追加されたノイズを軽減するために、ビームフォーマの使用を中止することを含む、請求項１０に記載の方法。
【手続補正２】
【補正対象書類名】明細書
【補正対象項目名】０００６
【補正方法】変更
【補正の内容】
【０００６】
図１は、アップリンク伝送中のノイズキャンセルのための例示的ヘッドセット１００の概略図である。ヘッドセット１００は、右イヤフォン１１０、左イヤフォン１２０、およびラペルユニット１３０を含む。しかし、ここに開示される特定の機構は、単一のイヤフォンを含む例示的ヘッドセットおよび／またはラペルユニット１３０を有さない例において用いられ得るということに留意すべきである。ヘッドセット１００は、たとえばラペルユニット１３０が音楽ファイルを再生するデバイスに結合されたときに、ローカルＡＮＣを行うように構成されてもよい。ヘッドセット１００はまた、たとえばラペルユニット１３０が通話可能なデバイス（たとえばスマートフォン）に結合されたときにアップリンクノイズキャンセルを行ってもよい。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
データフレームの中で最初に存在するダウンリンクサブフレームであるダウンリンクサブフレームを割り当てるステップと、
第1の送信機会の間に符号化された制御信号を送信するステップとを備え、前記符号化された制御信号が受信デバイスのための共通部分を備え、前記共通部分が前記データフレームの構造を示し、前記符号化された制御信号がさらに、特定の受信デバイスに対するデバイス固有部分を備え、前記デバイス固有部分が前記特定の受信デバイスのための前記データフレームの間のアップリンクグラントおよびダウンリンクグラントを示し、前記符号化された制御信号の少なくとも前記共通部分が選択された前記ダウンリンクサブフレームの間に送信される、方法。
【請求項２】
前記第1の送信機会の間の複数のダウンリンクサブフレームの間に、共有データ信号を送信するステップと、
前記第1の送信機会の後の第2の送信機会の間に前記共有データ信号を送信するステップとをさらに備える、請求項1に記載の方法。
【請求項３】
トリガビットを前記符号化された制御信号の前記共通部分と関連付けるステップであって、前記トリガビットが前記共有データ信号の継続的な送信を示す、ステップと、
前記第2の送信機会の間の前記データフレームの中で最初に存在するダウンリンクサブフレームであるダウンリンクサブフレームの間に、前記符号化された制御信号の前記共通部分とともにトリガビットを送信するステップとをさらに備える、請求項2に記載の方法。
【請求項４】
トリガビットを前記符号化された制御信号の前記共通部分と関連付けるステップであって、前記トリガビットが前記共有データ信号の継続的な受信を示す、ステップと、
前記第2の送信機会の間の前記データフレームの中で最初に存在するダウンリンクサブフレームである、ダウンリンクサブフレームの間の前記符号化された制御信号の前記共通部分とともに前記トリガビットを送信するステップとをさらに備える、請求項2に記載の方法。
【請求項５】
前記符号化された制御信号の前記デバイス固有部分が、ダウンリンクサブフレームの間に発生する、共有データ信号の反復的な送信の量を示す、請求項1に記載の方法。
【請求項６】
前記共有データ信号が物理ダウンリンク共有チャネル(PDSCH)を備える、請求項5に記載の方法。
【請求項７】
前記符号化された制御信号の前記共通部分が、受信デバイスがその間に肯定応答(ACK)信号を送信すべきである前記データフレームのアップリンクサブフレームを特定する、請求項1に記載の方法。
【請求項８】
前記第1の送信機会の時間長に少なくとも一部基づいて、前記データフレームのダウンリンクサブフレームまたはアップリンクサブフレームの量を決定するステップをさらに備える、請求項1に記載の方法。
【請求項９】
前記データフレームのダウンリンクサブフレームまたはアップリンクサブフレームの前記量を決定するステップが、サブフレーム構成パラメータに少なくとも一部基づく、請求項8に記載の方法。
【請求項１０】
前記データフレームのダウンリンクサブフレームまたはアップリンクサブフレームの前記量を決定するステップがさらに、
信号対雑音比(SNR)閾値を決定するステップと、
前記SNR閾値に少なくとも一部基づいて、ダウンリンクサブフレームまたはアップリンクサブフレームの前記量を決定するステップとを備える、請求項9に記載の方法。
【請求項１１】
前記符号化された制御信号が、拡張マシンタイプ物理ダウンリンク制御チャネル(eMPDCCH)である、請求項1に記載の方法。
【請求項１２】
ユーザ機器におけるワイヤレス通信のための方法であって、
第1の送信機会の間に、共通部分およびデバイス固有部分を備えるデータフレームにおいて、符号化された制御信号を受信するステップと、
前記データフレームの中で最初に存在するダウンリンクサブフレームであるダウンリンクサブフレームの間に前記符号化された制御信号が受信されると特定するステップと、
前記データフレームの中で前記最初に存在するダウンリンクサブフレームの中の前記符号化された制御信号を復号するステップとを備える、方法。
【請求項１３】
ワイヤレス通信のための装置であって、
データフレームの中で最初に存在するダウンリンクサブフレームであるダウンリンクサブフレームを割り当てるための手段と、
第1の送信機会の間に符号化された制御信号を送信するための手段とを備え、前記符号化された制御信号が受信デバイスのための共通部分を備え、前記共通部分が前記データフレームの構造を示し、前記符号化された制御信号がさらに、特定の受信デバイスに対するデバイス固有部分を備え、前記デバイス固有部分が前記特定の受信デバイスのための前記データフレームの間のアップリンクグラントおよびダウンリンクグラントを示し、前記符号化された制御信号の少なくとも前記共通部分が選択された前記ダウンリンクサブフレームの間に送信される、装置。
【請求項１４】
ワイヤレス通信のための装置であって、
第1の送信機会の間に、共通部分およびデバイス固有部分を備えるデータフレームにおいて、符号化された制御信号を受信するための手段と、
前記データフレームの中で最初に存在するダウンリンクサブフレームであるダウンリンクサブフレームの間に前記符号化された制御信号が受信されると特定するための手段と、
前記データフレームの中で前記最初に存在するダウンリンクサブフレームの中の前記符号化された制御信号を復号するための手段とを備える、装置。
【請求項１５】
少なくとも1つのプロセッサ上で実行されたときに、請求項1から12のうちのいずれか一項に記載の方法を実行するための命令を含む、コンピュータプログラム。
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
通信システム内の通信ビーム遷移のための方法であって、
第1の通信ビーム上で第1の通信デバイスと第2の通信デバイスとの間で情報を交換するステップと、
前記第1の通信ビーム上で前記第2の通信デバイスからのビーム情報を前記第1の通信デバイスにおいて受信するステップと、
前記第1の通信ビーム上でビーム切替えコマンドを前記第1の通信デバイスから前記第2の通信デバイスに送信するステップであって、前記ビーム切替えコマンドが、前記第1の通信ビームから第2の通信ビームへの遷移を要求する、ステップと、
前記第1の通信ビームおよび前記第2の通信ビーム上で情報を前記第1の通信デバイスから前記第2の通信デバイスに同時に送信するステップと、
前記第1の通信デバイスおよび前記第2の通信デバイスによって前記第2の通信ビームへの遷移が完了したときに、前記第1の通信ビーム上で情報を前記第1の通信デバイスから前記第2の通信デバイスに送信することを停止するステップとを含む、方法。
【請求項２】
前記第1の通信ビームおよび前記第2の通信ビーム上で情報を前記第1の通信デバイスから前記第2の通信デバイスに同時に送信するステップが、
前記第1の通信デバイスが、前記第2の通信デバイスからビーム切替えコマンド肯定応答を受信することに失敗することと、
前記第1の通信デバイスが、前記第1の通信ビームから前記第2の通信ビームへの遷移を要求する前記ビーム切替えコマンドを再送信することと、
前記第2の通信デバイスが、前記再送信されたビーム切替えコマンドを受信することに失敗することと、
前記第2の通信デバイスが、前記第2の通信ビームに切り替えることと、
前記第1の通信デバイスが、前記第2の通信ビーム上で前記第2の通信デバイスと通信することとをさらに含む、請求項1に記載の方法。
【請求項３】
前記第1の通信ビームおよび前記第2の通信ビーム上で情報を前記第1の通信デバイスから前記第2の通信デバイスに同時に送信するステップが、
前記第2の通信デバイスが、前記ビーム切替えコマンドを復号することに失敗することと、
前記第2の通信デバイスが、前記第1の通信ビーム上で否定応答(NACK)通信を前記第1の通信デバイスに送信することと、
前記第1の通信デバイスが、前記NACKを肯定応答(ACK)として復号することと、
前記第1の通信デバイスが、前記第2の通信ビームに切り替えることと、
前記第1の通信デバイスが、前記第1の通信ビーム上で前記第2の通信デバイスと通信することとをさらに含む、請求項1に記載の方法。
【請求項４】
前記第1の通信デバイスが基地局であり、前記第2の通信デバイスがユーザ機器である、請求項1に記載の方法。
【請求項５】
所定の数の通信サブフレームの満了時に、前記第1の通信ビーム上で前記第1の通信デバイスと前記第2の通信デバイスとの間で情報を交換することを停止するステップをさらに含む、請求項2に記載の方法。
【請求項６】
所定の数の通信サブフレームの満了時に、前記第1の通信ビーム上で前記第1の通信デバイスと前記第2の通信デバイスとの間で情報を交換することを継続するステップをさらに含む、請求項3に記載の方法。
【請求項７】
前記第1の通信ビームおよび前記第2の通信ビーム上で情報を前記第1の通信デバイスから前記第2の通信デバイスに同時に送信するステップが、前記第1の通信ビームおよび前記第2の通信ビームを有するひずんだ通信ビームを合成するステップをさらに含む、請求項1に記載の方法。
【請求項８】
通信システム内の通信ビーム遷移のためのシステムであって、
第1の通信ビーム上で情報を交換するように構成された第1の通信デバイスと第2の通信デバイスと、
前記第2の通信デバイスが、前記第1の通信ビーム上でビーム情報を前記第1の通信デバイスに送信するように構成されることと、
前記第1の通信デバイスが、前記第1の通信ビーム上でビーム切替えコマンドを前記第2の通信デバイスに送信するように構成され、前記ビーム切替えコマンドが、前記第1の通信ビームから第2の通信ビームへの遷移を要求することと、
前記第1の通信デバイスが、前記第1の通信ビームおよび前記第2の通信ビーム上で情報を前記第2の通信デバイスに同時に送信するように構成されることと、
前記第1の通信デバイスが、前記第1の通信デバイスおよび前記第2の通信デバイスによって前記第2の通信ビームへの遷移が完了したときに、前記第1の通信ビーム上で情報を前記第2の通信デバイスに送信することを停止するように構成されることとを含む、システム。
【請求項９】
デバイスであって、
第1の通信ビーム上で前記デバイスと第2の通信デバイスとの間で情報を交換するように構成された手段と、
前記第1の通信ビーム上で前記第2の通信デバイスからビーム情報を受信するように構成された手段と、
前記第1の通信ビーム上でビーム切替えコマンドを前記デバイスから送信するように構成された手段であって、前記ビーム切替えコマンドが、前記第1の通信ビームから第2の通信ビームへの遷移を要求する、手段と、
前記第1の通信ビームおよび前記第2の通信ビーム上で情報を前記デバイスから前記第2の通信デバイスに同時に送信するように構成された手段と、
前記デバイスおよび前記第2の通信デバイスによって前記第2の通信ビームへの遷移が完了したときに、前記第1の通信ビーム上で情報を前記デバイスから前記第2の通信デバイスに送信することを停止するように構成された手段とを含む、デバイス。
【請求項１０】
通信システム内の通信ビーム遷移のためのコンピュータ実行可能コードを記憶する非一時的コンピュータ可読記憶媒体であって、前記コンピュータ実行可能コードが、請求項１に記載の方法を実行するように、プロセッサによって実行可能である、非一時的コンピュータ可読記憶媒体。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
ＰＭＰ２２遺伝子の核酸配列における１または複数の標的配列を標的可能なガイド核酸であって、
前記標的配列に対する相同性を有する、または前記標的配列に対する相補結合を形成可能な１または複数のガイドドメインと、
第１相補ドメイン、リンカードメイン、第２相補ドメイン、近位ドメインおよび尾部ドメインから成る群から選択される１または複数の追加のドメインと
を備え、
前記１または複数の標的配列は、前記ＰＭＰ２２遺伝子のコード領域に存在する
ガイド核酸。
【請求項２】
前記ガイド核酸の前記標的配列は、それぞれ、前記ＰＭＰ２２遺伝子の前記核酸配列における配列識別番号１〜８から成る群から選択される１または複数である、請求項１に記載のガイド核酸。
【請求項３】
前記ガイド核酸の前記標的配列は、それぞれ、前記ＰＭＰ２２遺伝子の前記核酸配列における配列識別番号９〜１３から成る群から選択される１または複数である、請求項１に記載のガイド核酸。
【請求項４】
前記ガイド核酸の前記標的配列は、それぞれ、前記ＰＭＰ２２遺伝子の前記核酸配列における配列識別番号１および３から選択される１または複数である、請求項１または２に記載のガイド核酸。
【請求項５】
遺伝子操作のための組成物であって、
ＰＭＰ２２遺伝子の核酸配列における１または複数の標的配列を標的可能なガイド核酸またはそれをコードする核酸配列と、
エディタータンパク質またはそれをコードする核酸配列と
を備え、
前記１または複数の標的配列は、前記ＰＭＰ２２遺伝子のコード領域に存在し、
前記ガイド核酸は、
前記標的配列に対する相同性を有する、または前記標的配列に対する相補結合を形成可能な１または複数のガイドドメインと、
第１相補ドメイン、リンカードメイン、第２相補ドメイン、近位ドメインおよび尾部ドメインから成る群から選択される１または複数の追加のドメインと
を含む、遺伝子操作のための組成物。
【請求項６】
前記エディタータンパク質は、ストレプトコッカス・ピオゲネス由来Ｃａｓ９タンパク質、カンピロバクター・ジェジュニ由来Ｃａｓ９タンパク質、ストレプトコッカス・サーモフィラス由来Ｃａｓ９タンパク質、ストレプトコッカス・アウレウス由来Ｃａｓ９タンパク質、ナイセリア・メニンジティディス由来Ｃａｓ９タンパク質、および、Ｃｐｆ１タンパク質から成る群から選択される１または複数を含む、請求項５に記載の遺伝子操作のための組成物。
【請求項７】
前記ガイド核酸の前記標的配列は、それぞれ、前記ＰＭＰ２２遺伝子の前記核酸配列における配列識別番号１〜８から成る群から選択される１または複数である、請求項５に記載の遺伝子操作のための組成物。
【請求項８】
前記ガイド核酸の前記標的配列は、それぞれ、前記ＰＭＰ２２遺伝子の前記核酸配列における配列識別番号９〜１３から成る群から選択される１または複数である、請求項５に記載の遺伝子操作のための組成物。
【請求項９】
前記エディタータンパク質は、ストレプトコッカス・ピオゲネス由来Ｃａｓ９タンパク質である、請求項５または７に記載の遺伝子操作のための組成物。
【請求項１０】
前記エディタータンパク質は、カンピロバクター・ジェジュニ由来Ｃａｓ９タンパク質を含む、請求項５または８に記載の遺伝子操作のための組成物。
【請求項１１】
前記遺伝子操作のための組成物は、リボ核タンパク質（ＲＮＰ）の形態である、請求項５に記載の遺伝子操作のための組成物。
【請求項１２】
前記遺伝子操作のための組成物は、ウイルスベクターのシステムにおいて形成される、請求項５に記載の遺伝子操作のための組成物。
【請求項１３】
前記ウイルスベクターは、レトロウイルス、レンチウイルス、アデノウイルス、アデノ随伴ウイルス（ＡＡＶ）、ワクチニアウイルス、ポックスウイルスおよび単純ヘルペスウイルスから選択される１または複数を含む、請求項１２に記載の遺伝子操作のための組成物。
【請求項１４】
ＳＣ機能制御因子関連疾患を治療するために対象に投与される医薬組成物であって、前記医薬組成物は、
１または複数の標的配列を標的可能なガイド核酸またはそれをコードする核酸配列と、
エディタータンパク質またはそれをコードする核酸配列と
を含み、
前記ガイド核酸の前記標的配列は、それぞれ、ＰＭＰ２２遺伝子の前記核酸配列における配列識別番号１〜６６および１４３〜１５０から成る群から選択される１または複数であり、
前記ガイド核酸は、
前記標的配列に対する相同性を有する、または前記標的配列に対する相補結合を形成可能な１または複数のガイドドメインと、
第１相補ドメイン、リンカードメイン、第２相補ドメイン、近位ドメインおよび尾部ドメインから成る群から選択される１または複数の追加のドメインと
を含む、医薬組成物。
【請求項１５】
前記ＳＣ機能制御因子関連疾患は、ＰＭＰ２２の重複に起因するＰＭＰ２２遺伝子過剰発現により引き起こされるシュワン細胞機能障害である、請求項１４に記載の医薬組成物。
【請求項１６】
前記ＳＣ機能制御因子関連疾患は、シャルコー・マリー・トゥース病１Ａ型（ＣＭＴ１Ａ）、デジュリーヌ・ソッタス病（ＤＳＳ）、先天性低ミエリン化ニューロパチー（ＣＨＮ）またはルシー・レヴィー症候群（ＲＬＳ）である、請求項１４に記載の医薬組成物。
【請求項１７】
前記医薬組成物は、皮下、皮内、眼内、硝子体内、腫瘍内、結節内、髄内、筋肉内、静脈内、リンパ管内または腹腔内によって投与され、前記投与の方法は、注射、輸血またはインプラントである、請求項１４に記載の医薬組成物。
【請求項１８】
遺伝子操作のための前記医薬組成物は、リボ核タンパク質（ＲＮＰ）の形態である、請求項１４に記載の医薬組成物。
【請求項１９】
遺伝子操作のための前記医薬組成物は、ウイルスベクターのシステムにおいて形成される、請求項１４に記載の医薬組成物。
【請求項２０】
前記ウイルスベクターは、レトロウイルス、レンチウイルス、アデノウイルス、アデノ随伴ウイルス（ＡＡＶ）、ワクチニアウイルス、ポックスウイルスおよび単純ヘルペスウイルスから選択される１または複数を含む、請求項１９に記載の医薬組成物。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
核酸分子を含む相同組換え修復（ＨＤＲ）ドナーベクターであって、ここで前記核酸分子は、ネガティブ選択マーカーをコードする一つまたは複数のヌクレオチド配列、および挿入カセットを含むヌクレオチド配列を含み、ここで前記挿入カセットは、細胞ゲノムに挿入されるべき核酸配列を含む、相同配列指向性修復（ＨＤＲ）ドナーベクター。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
試験化合物の眼刺激性を評価するための方法であって、
前記方法は、
ａ）試験化合物をｉｎ  ｖｉｔｒｏ再生角膜サンプルと接触させる工程；
ｂ）ＨＳＰ９０ＡＡ１、ＣＯＬ７Ａ１、ＮＯＳ３、ＭＭＰ８、ＣＡＳＰ１、ＥＬＮ、ＩＬ−２３Ｒ、ＤＬＫ１、ＣＬＥＣ４Ｄ、ＩＬ−２４、ＣＣＬ２２、ＳＬＩＴ２、ＩＣＡＭ２、ＭＵＣ１３、ＨＳＰＡ１Ａ、ＦＳＨＲ、ＩＬ−１Ｒ２、ＡＬＢ、ＣＣＮＤ１、ＣＸＣＬ１、ＣＸＣＲ１、ＫＬ、ＣＯＬ６Ａ２、ＭＵＣ４、ＤＤＩＴ３、ＭＭＰ３、ＨＡＳ１、ＩＲＦ１、ＣＹＲ６１からなる群から選択される少なくとも２種の遺伝子の発現を測定する工程
を含んでなり、
前記方法は、
工程ａ）における試験化合物の接触が固体形態の試験化合物を用いて行われ、工程ｂ）がＩＬ−２４、ＩＬ−２３Ｒ、ＤＤＩＴ３、ＭＭＰ８、ＤＬＫ１、ＨＡＳ１、ＣＹＲ６１、ＩＬ−１Ｒ２、ＣＬＥＣ４Ｄ、ＩＣＡＭ２、ＣＡＳＰ１、ＭＵＣ１３およびＭＵＣ４からなる群から選択される少なくとも２種の遺伝子の発現を測定することを含んでなること、または、
工程ａ）における試験化合物の接触が液体形態の試験化合物を用いて行われ、工程ｂ）がＨＳＰ９０ＡＡ１、ＣＡＳＰ１、ＤＬＫ１、ＣＬＥＣ４Ｄ、ＩＬ−２４、ＳＬＩＴ２、ＨＳＰＡ１Ａ、ＦＳＨＲ、ＩＬ−１Ｒ２およびＣＣＮＤ１からなる群から選択される少なくとも２種の遺伝子の発現を測定することを含んでなること
を特徴とする、前記方法。
【請求項２】
試験化合物の眼刺激指数を決定する追加の工程ｃ）を含んでなることを特徴とする、請求項１に記載の方法。
【請求項３】
前記化合物を、得られた眼刺激指数の値に応じて眼刺激性があるとして分類する工程ｄ）を含んでなることを特徴とする、請求項２に記載の方法。
【請求項４】
前記ｉｎ  ｖｉｔｒｏ再生角膜サンプルが、規定培養培地で増殖され、水−空気界面で合成膜上の薄層として配置された不死化角膜上皮細胞を含んでなるサンプルであることを特徴とする、請求項１〜３のいずれか一項に記載の方法。
【請求項５】
前記化合物の眼刺激指数の決定が、発現が測定される各遺伝子に過剰発現閾値を割り当てることを含んでなることを特徴とする、請求項２〜４のいずれか一項に記載の方法。
【請求項６】
発現が測定される遺伝子の有意な過剰発現を示す閾値が１．１〜１０の間に含まれ得ることを特徴とする、請求項５に記載の方法。
【請求項７】
前記眼刺激指数の決定が、前記遺伝子の過剰発現閾値に達した場合に各遺伝子に重み値を割り当てることを含んでなることを特徴とする、請求項５または６のいずれか一項に記載の方法。
【請求項８】
前記重み値が１〜１０の範囲の離散値の群から選択される、すなわち、値１、２、３、４、５、６、７、８、９および１０からなる群から選択されることを特徴とする、請求項７に記載の方法。
【請求項９】
前記眼刺激指数が、発現が過剰発現閾値を超える遺伝子の重み値を加算することによって決定されることを特徴とする、請求項７または８に記載の方法。
【請求項１０】
前記分類工程が、得られた眼刺激指数の値に基づいて前記試験化合物に刺激区分を割り当てることを含んでなることを特徴とする、請求項３〜９のいずれか一項に記載の方法。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
連続式ウイルスクリアランスのバリデーション方法であって、前記方法は、
ａ）バリデーションされるプローブを用意するステップと、
ｂ）有効な状態でプローブをスパイクするステップと、
ｃ）ウイルスクリアランスを行うステップと、
ｄ）スパイクされたプローブをサンプリングするステップと、
ｅ）ステップｄ）のスパイクされたプローブのサンプルを分析するステップと、
を含む方法。
【請求項２】
前記プローブは、ストリームおよび／または製品流である、請求項１に記載の方法。
【請求項３】
前記スパイクされたプローブをサンプリングするステップｄ）は、所定の時間の間にサンプリングすることを含む、請求項１または２に記載の方法。
【請求項４】
有効な状態で前記サンプルをスパイクするステップｂ）は、前記サンプルを、ホモジナイズ後にスパイクすることを含む、請求項１〜３のいずれか一項に記載の方法。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
被検者の消化（ＧＩ）管内における疾患の治療のためのシステムであって、前記システムは、
前記被検者、前記被検者を治療する医師、及び前記被検者の介護人のうちの少なくとも１人から入力を受信するように適合された少なくとも１つの入力モジュールと、
前記被検者についての被検者プロファイルを記憶するように適合されたコンピュータ可読メモリであって、前記被検者プロファイルは、前記少なくとも１つの入力モジュールによって初期入力として受信された被検者データを含む、コンピュータ可読メモリと、
前記消化管における疾患に対して治療された被検者に、及び前記被検者に対して使用された治療手順に関連するデータを含むデータベースと、
第１の治療手順において定義された第１の振動手順を実施するように活性化されるように適合され、動作モードにおいて、前記第１の振動手順に従って前記被検者のＧＩ管の壁に振動を伝達し、それによって前記被検者を治療するように適合された第１の振動摂取可能カプセルと、
第２の治療手順において定義された第２の振動手順を実施するようにプログラム及び活性化されるように適合され、動作モードにおいて、前記第２の振動手順に従って前記被検者のＧＩ管の壁に振動を伝達し、それによって前記被検者を治療するように適合された第２のプログラム可能振動摂取可能カプセルと、
前記少なくとも１つの入力モジュール、前記コンピュータ可読メモリ、及び前記データベースと機能的に関連付けられたプロセッサと、
前記プロセッサに、前記被検者の体から前記第１の振動摂取可能カプセルを排出することに関する情報を提供するように適合された少なくとも１つのセンサと、
を備え、
前記少なくとも１つの入力モジュールは、前記第１の治療手順に従った治療に対する前記被験者の反応に関するフィードバックを受信するように適合され、
前記プロセッサは、前記排出することに関する情報及び前記フィードバックのうちの少なくとも１つに基づいて、
前記データベースに含まれるデータに基づいて、更新され推薦された治療手順についての更新された推薦を自動で取得することであって、前記データは、前記被検者のうちの少なくとも１人の他の被検者に関連することと、
前記第２の振動手順を実施するべく前記第２のプログラム可能振動摂取可能カプセルのプログラミングに作用することであって、前記第２の治療手順は、前記更新され推薦された治療手順に基づいて前記第２の振動手順を含めることと、
を行うように構成される、システム。
【請求項２】
前記第１の振動摂取可能カプセルは、第１のプログラム可能振動摂取可能カプセルを含み、
前記プロセッサは更に、前記第１の振動手順を実施するように前記第１のプログラム可能振動摂取可能カプセルのプログラミングに作用するように構成される、
請求項１に記載のシステム。
【請求項３】
前記プロセッサは更に、前記第１のプログラム可能振動摂取可能カプセルのプログラミングに作用する前に、
前記被検者データに含まれる少なくとも１つの特質に基づいて、初期の推薦された治療手順についての初期推薦を取得し、
前記初期の推薦された治療手順に基づいて、前記第１の治療手順を生成する、
ように構成される、請求項２に記載のシステム。
【請求項４】
前記プロセッサは更に、
意思決定者に前記更新され推薦された治療手順を提供し、
前記意思決定者から、前記第２の治療手順が前記更新され推薦された治療手順と同一であるべきか否かのインジケーションを受信し、
前記インジケーションが、前記更新され推薦された治療手順に修正が必要とされることを示す場合、前記第２の治療手順を生成するべく、必要とされる修正に従って前記更新され推薦された治療手順を修正する、
ように構成される、請求項１乃至３のいずれか一項に記載のシステム。
【請求項５】
前記システムは、前記プロセッサと、及び少なくとも１つの第２のプログラム可能振動摂取可能カプセルと機能的に関連付けられたカプセル制御ユニットを更に備え、前記カプセル制御ユニットは、前記プロセッサから前記第２の振動手順を受信し、前記第２の振動手順を実施するべく前記第２のプログラム可能振動摂取可能カプセルをプログラムするように適合される、請求項１乃至４のいずれか一項に記載のシステム。
【請求項６】
前記フィードバックは、
前記第１の治療手順に従った治療の間又はその後、前記被検者が排便を経験した時間を示す、前記被検者から受信されたフィードバックと、
前記第１の治療手順に従った治療の間又はその後、前記被検者によって経験された物理的感覚を示す、前記被検者から受信されたフィードバックと、
前記第１の治療手順に従った治療の間又はその後、前記被検者によって排泄された排泄物の少なくとも１つの特質を示す、前記被検者から受信されたフィードバックと、
のうちの少なくとも１つを含む、請求項１乃至５のいずれか一項に記載のシステム。
【請求項７】
前記排出することに関する情報は、
前記第１の振動摂取可能カプセルが前記被検者の体から排出された時間と、
前記第１の振動摂取可能カプセルの識別と、
のうちの少なくとも１つを含む、請求項１乃至６のいずれか一項に記載のシステム。
【請求項８】
前記少なくとも１つのセンサは、便器取付センサを含む、請求項１乃至７のいずれか一項に記載のシステム。
【請求項９】
前記プロセッサは更に、前記第１の治療手順に従った治療に対する前記被検者の反応を反映するべく前記データベースを更新するために、前記被検者データ及び受信されたフィードバックを使用するように構成される、請求項１乃至８のいずれか一項に記載のシステム。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
位相コントラスト像形成データから多エネルギーデータを生成するための装置であって、前記装置が、
入力ユニットと、
処理ユニットと、
を備え、
前記入力ユニットが、物体の関心領域の位相コントラストＸ線像データを前記処理ユニットに提供し、
前記入力ユニットが、前記物体の前記関心領域の減弱Ｘ線像データを前記処理ユニットに提供し、
前記処理ユニットが、２つの基礎データセットを含む前記多エネルギーデータを生成し、
像位置における位相コントラストＸ線像データが当該像位置における第１の基礎データに比例することに基づいて、前記処理ユニットが、前記位相コントラストＸ線像データから前記第１の基礎データセットを生成し、前記第１の基礎データセットが、コンプトン散乱総減弱係数データに対応するコンプトンデータを含み、
前記処理ユニットが、前記位相コントラストＸ線像データと前記減弱Ｘ線像データとから第２の基礎データセットを生成し、前記第２の基礎データセットが、光電総減弱係数データに対応する光電データを含み、
前記第２の基礎データセットの生成が、前記第１の基礎データセットの使用を有し、前記光電総減弱係数データを計算するために、前記減弱Ｘ線像データが前記コンプトン散乱総減弱係数データと共に使用される、
装置。
【請求項２】
前記位相コントラストＸ線像データを獲得するために使用されるディテクターのスペクトルディテクター感度が、前記減弱Ｘ線像データを獲得するために使用されるディテクターのスペクトルディテクター感度と同じであり、ベースライン強度信号は、前記物体が存在しないときに前記ディテクターにおいて検出された信号に関係しており、前記位相コントラストＸ線像データの獲得中に使用されるＸ線源のスペクトルが、前記減弱Ｘ線像データの獲得中に使用されるＸ線源のスペクトルと同じであり、前記第２の基礎データセットの生成が、前記ディテクターの前記スペクトルディテクター感度、及び、前記Ｘ線源の前記ベースライン強度信号及び前記スペクトルの使用を有する、
請求項１に記載の装置。
【請求項３】
前記第２の基礎データセットの生成が、前記第１の基礎データセットのデータに関係したエネルギー依存性と、前記第２の基礎データセットのデータに関係したエネルギー依存性との使用を有する、
請求項２に記載の装置。
【請求項４】
前記位相コントラストＸ線像データを獲得するために使用される前記ディテクターが、前記減弱Ｘ線像データを獲得するために使用される前記ディテクターと同じであり、前記位相コントラストＸ線像データの獲得中に使用される前記Ｘ線源が、前記減弱Ｘ線像データの獲得中に使用される前記Ｘ線源と同じである、
請求項２又は請求項３に記載の装置。
【請求項５】
前記減弱Ｘ線像データが、スペクトル像データを含む、
請求項１から請求項４のいずれか一項に記載の装置。
【請求項６】
前記処理ユニットが、前記スペクトル像データを少なくとも１つの基礎像に分解し、前記少なくとも１つの基礎像が、第１の基礎データセット像を含む、
請求項５に記載の装置。
【請求項７】
前記位相コントラストＸ線像データと前記減弱Ｘ線像データとが、同時に獲得された、
請求項１から請求項６のいずれか一項に記載の装置。
【請求項８】
前記処理ユニットが、前記第１の基礎データセットと前記第２の基礎データセットとに基づいて、多エネルギー及び／又はデュアルエネルギー情報を生成し、前記多エネルギー及び／又はデュアルエネルギー情報が、前記物体の前記関心領域の少なくとも１つの像を含む、
請求項１から請求項７のいずれか一項に記載の装置。
【請求項９】
位相コントラスト像形成データから多エネルギーデータを生成するためのシステムであって、前記システムが、
少なくとも１つの像獲得ユニットと、
位相コントラスト像形成データから多エネルギーデータを生成するための請求項１から請求項８のいずれか一項に記載の装置と、
出力ユニットと、
を備え、
前記少なくとも１つの像獲得ユニットが、位相コントラストＸ線像を獲得し、及び、減弱Ｘ線像を獲得し、
前記出力ユニットが、前記第１の基礎データセットと前記第２の基礎データセットとに基づいて、多エネルギー及び／又はデュアルエネルギー情報を出力する、
システム。
【請求項１０】
ａ）物体の関心領域の位相コントラストＸ線像データを提供するステップと、
ｂ）前記物体の前記関心領域の減弱Ｘ線像データを提供するステップと、
ｃ）前記位相コントラストＸ線像データから第１の基礎データセットを生成するステップであって、当該ステップｃ）が、前記位相コントラストＸ線像データからコンプトンデータを生成するステップを含み、前記コンプトンデータが、コンプトン散乱総減弱係数データに対応している、ステップと、
ｄ）前記位相コントラストＸ線像データと前記減弱Ｘ線像データとから第２の基礎データセットを生成するステップであって、当該ステップｄ）が、前記位相コントラストＸ線像データと前記減弱Ｘ線像データとから光電データを生成するステップを含み、前記光電データが、光電総減弱係数データに対応しており、当該ステップｄ）が、前記第１の基礎データセットを使用するステップを有し、前記光電総減弱係数データを計算するために、前記減弱Ｘ線像データが前記コンプトン散乱総減弱係数データと共に使用される、ステップと、
を有する、位相コントラスト像形成データから多エネルギーデータを生成するための方法。
【請求項１１】
プロセッサにより実行されたとき、請求項１０に記載の方法を行う、
請求項１から請求項８のいずれか一項に記載の装置又は請求項９に記載のシステムを制御するためのコンピュータプログラム。
【請求項１２】
請求項１１に記載のコンピュータプログラムを記憶した、コンピュータ可読媒体。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
細長い部材を含む宝飾品用の留め金であって、
−  細長い部材の第１の端部に固定するための雌型端部部品を含み、雌型端部部品は第１の押しボタン固定手段を組み込み、
−  細長い部材の第２の端部に固定するための、雌型端部部品内に解放可能に固定されるように構成された雄型端部部品を含み、雄型端部部品は、第１押しボタン固定手段の係合部によって操作されるように構成される第２の押しボタン固定手段を組み込み、
前記第１の押しボタン固定手段及び前記第２の押しボタン固定手段が、単一の押しボタン固定手段を形成し、
これにより、使用時に、第１の押しボタン固定手段の係合部は、雄型端部部品の雌型端部部品からの離脱が阻止されるロック位置と、雄形端部構成要素の雌型端部部品からの離脱が可能であるロック解除位置との間で移動可能であり、前記単一の押しボタン固定手段を押し下げることにより、前記雄型端部部品は、前記雌型端部部品から離脱可能である、細長い部材を含む宝飾品用の留め金。
【請求項２】
前記第２の押しボタン固定手段が、少なくとも１つの付勢手段を組み込み、少なくとも１つの付勢手段は、第２の押しボタン固定手段の表面部をロック位置にある第１の押しボタン固定手段の係合部と係合するように付勢するように構成され、ロック位置にある時、前記第２の押しボタン固定手段の表面部分が、前記雄型端部部品の該表面から突出している、請求項１に記載の留め金。
【請求項３】
前記第１の押しボタン固定手段および前記第２の押しボタン固定手段の軸が、それぞれ前記雌型端部構成要素および前記雄型端部部品の長手方向軸に対して実質的に垂直である、請求項１又は２に記載の留め金。
【請求項４】
前記第２の押しボタン固定手段の前記表面部分は、ロック位置にあるときに前記雄型端部部品が前記雌型端部部品から外れるのを防止するように構成され、前記表面部分は、前記雌型端部部品の内面に当接する、請求項１から３のいずれか一項に記載の留め金。
【請求項５】
前記雌型端部部品が少なくとも１つの長手方向スロットを含み、それにより、使用時に前記雄型端部部品が前記少なくとも１つのスロット内で嵌合するように構成される、請求項１から４のいずれか一項に記載の留め金。
【請求項６】
互いに解放可能に接合される第１および第２の反対側の端部を有する宝飾品であって、請求項１から５のいずれか一項に記載の留め金を組み込んだ宝飾品。
【請求項７】
細長い部材を含む宝飾品用の装飾部品であって、装飾部品は、
−  ハウジング；
−  細長い部材を支持するために前記ハウジングを通過する溝、および
−  ハウジング内のスロットであって、前記スロットは、前記溝の軸と実質的に平行であり、前記ハウジングの壁を通って前記溝と適切に通過するように構成され、
それによって、使用時に、前記スロットは、細長い部材が溝内に抵抗するが通過することを可能にするように構成される、宝飾品用の装飾部品。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
周期信号の検出に用いられる方法であって、前記方法は：
前記信号の周期性に関するデータを提供すること；
前記周期信号の検出のために、目的の領域上へ選択された繰り返し率のパルス光学照射を指向させること；
前記検査領域から戻ってくる光に形成されたスペックルパターンに対応する複数のデータピースを収集すること；並びに
前記複数のデータピースを処理して、前記周期信号のプロファイルを特定すること、
を含み、前記処理は、前記複数のデータピースを、前記周期信号の周期に対する各データピースの時間位置に従って配列すること、及び配列された順番において連続するスペックルパターン間の相関に関するデータを特定することを含み、前記相関データは、前記周期信号のプロファイルを表す、方法。
【請求項２】
複数のデータピースの前記収集が、所定のフレームレート及び前記パルス光学照射のパルス幅と比較して長い積分時間で集光ユニットを動作させることを含み、それによって、前記パルス照射の繰り返し率及びタイミングが、前記信号のサンプリングを決定する、請求項１に記載の方法。
【請求項３】
前記パルス照射の前記繰り返し率が、照射パルスが前記周期信号の周期間で時間的にシフトされるように、前記周期信号の前記周期性に従って選択される、請求項１又は２に記載の方法。
【請求項４】
複数のデータピースの前記収集が、前記パルス照射の繰り返し率に対応するサンプリングレートを有する、請求項１から３のいずれか一項に記載の方法。
【請求項５】
前記パルス照射が、選択された波長範囲を有するコヒーレント照射である、請求項１から４のいずれか一項に記載の方法。
【請求項６】
前記信号の前記周期性に関するデータを前記提供することが、所定の周期時間プロファイルに従って前記目的の領域を刺激することを含み、前記信号の前記周期性は、前記所定の周期時間プロファイルに依存する、請求項１から５のいずれか一項に記載の方法。
【請求項７】
信号のモニタリングに用いるためのシステムであって、前記システムは：
選択された繰り返し率を有するコヒーレントパルス照射を検査領域に指向させるように構成された照射ユニット；
前記検査領域から戻ってくる光によって発生されるスペックルパターンに関連するイメージデータを収集するように構成された集光ユニット；並びに
前記照射ユニット及び前記集光ユニットの動作の制御、及びスペックルパターンに関する前記収集されたデータの複数のイメージデータピースに対応する入力データの前記集光ユニットからの受信、及び１又は複数の周期信号のプロファイルを特定するための前記入力データの処理、を行うように構成され、そのように動作可能であるコントロールユニット、
を含み、前記コントロールユニットは、前記複数のイメージデータピースを、前記周期信号の周期に対する各データピースの時間位置に従って配列し、配列された順番において連続するスペックルパターン間の相関に関するデータを特定することによって処理するように構成される、システム。
【請求項８】
前記コントロールユニットが、所定のフレームレート及び積分時間で前記集光ユニットを動作させるように、並びに前記照射ユニットのパルスタイミングを同期させて前記周期信号のサブ周期サンプリングを提供するように構成され、そのように動作可能である、請求項７に記載のシステム。
【請求項９】
前記集光ユニットによって取り込まれた各フレームが、前記照射ユニットによる照射のそれぞれの単一のパルスに対応する、請求項７に記載のシステム。
【請求項１０】
前記コントロールユニットが、前記照射ユニット及び集光ユニットのいずれのサンプリングレートよりも高い分解能で前記１又は複数の周期信号のプロファイルを特定するように構成される、請求項７から９のいずれか一項に記載のシステム。
【請求項１１】
前記集光ユニットが、前記検査領域から戻ってくる光に関連するデフォーカスイメージデータを収集するように構成されたカメラユニットを備える、請求項７から１０のいずれか一項に記載のシステム。
【請求項１２】
前記周期信号をサブ周期サンプリングするように構成され、前記コントロールユニットが、前記照射ユニットのパルスタイミングを同期させて、前記周期信号の異なる周期の照射タイミング間で時間的シフトを提供するように構成される、請求項７から１１のいずれか一項に記載のシステム。
【請求項１３】
前記コントロールユニットが、前記周期信号の周期内に非整数の数のパルスを有するようにパルスタイミングを選択するように構成される、請求項１２に記載のシステム。
【請求項１４】
前記コントロールユニットが、前記照射ユニットに、前記周期信号の各周期の過程で所定の数のパルスを放射させるように、及び前記周期信号の周期間で所定の数の信号を時間的にシフトさせるように構成される、請求項１２に記載のシステム。
【請求項１５】
周期時間プロファイルに従って前記検査領域を刺激するように構成された刺激ユニットをさらに備える、請求項７から１４のいずれか一項に記載のシステム。
【請求項１６】
前記コントロールユニットが、前記刺激ユニットの動作を制御するように構成される、請求項１５に記載のシステム。